(57)【要約】　　　（修正有）【課題】ビニール封筒の再利用と費用並びに資源の無駄をなくし低コストの封筒を提供する。【解決手段】ビニール封筒の表裏面の半分近くが透明部分で残り半分近くが印刷部分を有し、郵便情報用紙を用いて送信、返信をするビニール封筒を提供する。【選択図】　　図１
2004067240.tif 000002
【特許請求の範囲】
【請求項１】
封筒の表面の半分近くが透明部分で残り半分近くが、印刷部分を有し、裏面の半分近くが印刷部分で残り半分近くが透明部分を有する事を特徴とする封筒。
【請求項２】
封筒の表面部分の郵便情報で送信し、裏面部分の郵便情報で返信し若しくは裏面部分の郵便情報で送信し、表面部分の郵便情報で返信する事を特徴とする請求項１記載の封筒。
【請求項３】
封筒の表面の透明部分又は裏面の透明部分に送信用郵便情報の位置を決め又表面の印刷部分又は裏面の印刷部分に返信用郵便情報の位置を決める事を特徴とする封筒。
【請求項４】
一葉の用紙若しくは二ツ折にする用紙若しくは二ツ折以上にする用紙の表裏又は内側にあらかじめ送信用郵便情報と返信用郵便情報を印刷又は印字等若しくはタックラベル等を貼付して送信し返信時に送信用郵便情報と返信用郵便情報を反転し封筒の透明部分に返信用郵便情報が見える様にする事によって返信用封筒を形成する事を特徴とする封筒。
【発明の詳細な説明】
【０００１】
【発明が属する技術分野】
本発明は封筒、特にビニール封筒で返信用封筒に容易に変更することのできる送信用の封筒に関する。
【０００２】
【従来の技術】
一般に紙封筒、ビニール封筒等があるがビニール封筒の使用形態として紙封筒に比べ製袋コストが半分以下でできる事が一番のメリットとして使用されている。紙封筒と同様にビニール封筒の中に返信用の紙封筒、若しくは返信用葉書を同封している事が従来の技術である。
【０００３】
【発明が解決しようとする課題】
しかしながら上記従来の方法において送信時に同封された返信用封筒又は返信用葉書が使用されなかった場合使用できる返信用封筒又は返信用葉書が廃棄され無駄になるという問題があった。
【０００４】
本発明の目的はビニール封筒又は紙封筒の再利用と費用並びに資源の無駄をなくし低コストの封筒を提供する事である。
【０００５】
【課題を解決する手段】
上記目的を達成する為に本発明の封筒は、請求項１において封筒の表面の半分近くが透明部分で残り半分近くが印刷部分を有し裏面の半分近くが印刷部分で残り半分近くが透明部分を有する事によって透明部分に送信用郵便情報が見え又印刷部分には返信用郵便情報が印刷により見えない様になっている事により送信用郵便情報だけが明確になっている。
請求項２において封筒の表面部分の郵便情報で送信し裏面部分の郵便情報で返信し若しくは裏面部分の郵便情報で送信し表面部分の郵便情報で返信する事により郵便物仕分装置の仕分が正確にできる。
請求項３において封筒の表面の透明部分又は裏面の透明部分に送信用郵便情報の位置を決め又表面の印刷部分又は裏面の印刷部分に返信用郵便情報の位置を決める事によって従来できなかったビニール封筒一袋で送信及び返信が可能になる。又紙封筒でも同様な事ができる。請求項４において一葉の用紙若しくは二ツ折にする用紙若しくは二ツ折以上にする用紙の表裏又は内側にあらかじめ送信用郵便情報と返信用郵便情報を印刷又は印字等若しくはタックラベル等又切手を貼付して送信し返信時に送信用郵便情報と返信用郵便情報を反転し封筒の透明部分に返信用郵便情報が見える様にする事によって返信用封筒になり手間がはぶけより一層利便性の良い封筒ができる。
【０００６】
【発明の実施の形態】
図を参照して本発明の実施例を図面に基づき説明する。
図１は縦封筒▲１▼の表面図と図２は縦封筒の裏面図であるが図１の表面部分で天地方向中心線より上面の透明部分▲２▼と下面の印刷部分▲３▼になっているものであるが図２の裏面部分は図１の表面部分と反対になっている。すなわち図１の表面部分の上面の透明部分は図２裏面部分では印刷部分▲５▼になり又図１の表面部分の下面の印刷部分▲３▼は図２の裏面部分では透明部分▲４▼になっている。
【０００７】
図５に表示してある郵便情報用紙の図は一方が送信用郵便情報▲７▼等ともう一方は返信用郵便情報▲８▼等が印刷又は印字等あるいはタックラベル等又は切手の貼付で送信時と返信時の郵便情報用紙としてレイアウト形成されている。
【０００８】
上記郵便情報用紙の送信用郵便情報部分を図１の表面部の上面の透明部分▲２▼にあてはめると送信用郵便情報が表示される事になる又表面部の下面の印刷部分▲３▼には返信用郵便情報がくる様にレイアウトする事によって印刷部で返信用郵便情報がかくれる事になる。すなわち透明部分には送信用郵便情報がはっきり表示され印刷部分には返信用郵便情報がかくれる事になり送信用郵便物が形成される。
【０００９】
上記方法はビニール封筒又は紙封筒でも同様にできるものである。又送信時のビニール封筒の封緘糊は再はくり可能な糊を使用すると良いものであり紙封筒の封緘は再使用可能な方法ですると良いものである。
【００１０】
図２に裏面部の上面の印刷部分▲５▼と下面の透明部分▲４▼があるが図５に表示してある郵便情報用紙を受信時取り出し表裏反転して返信時に下面の透明部分▲４▼に返信用郵便情報部分をあてはめる事によって返信用郵便情報が表示される事になる。又裏面部の上面の印刷部分▲５▼には送信されてきた時の郵便情報部分（送信時送信用郵便情報）がかくれる事になり返信用郵便物が形成される。
【００１１】
図５は送信用と返信用の郵便情報を表示する。郵便情報用紙で上下中心線より上面が送信用郵便情報▲７▼で下面が返信用郵便情報▲８▼である。
【００１２】
送信時図１の上面の透明部分▲２▼ら図５の送信用郵便情報▲７▼部分をあてはめると図１の下面の印刷部分▲３▼に図５の返信用郵便情報▲８▼がかくれ送信用郵便物が形成される。
【００１３】
返信時図２の下面の透明部分▲４▼に送信時図１の下面の印刷部分▲３▼にかくれてあった返信用郵便情報▲８▼を表裏反転してあてはめると図２の上面の印刷部分▲３▼に送信時の送信用郵便情報▲７▼がかくれ返信用郵便物が形成される。
【００１４】
図３は縦封筒の表面図と図４は縦封筒の裏面図であるが図３の表面部分で左右方向中心線より左面の印刷部分▲３▼と右面の透明部分▲２▼になっているものであるが図４の裏面部分は図３の表面部分と正反対になっているすなわち図３の表面部分の左面の印刷部分▲３▼は図４の裏面部分の右面は透明部分▲４▼になり図３の右面の透明部分▲４▼は図４の裏面部分では印刷部分▲５▼になっている。
【００１５】
図６に表示してある郵便情報用紙の図は一方が送信用郵便情報▲７▼等と、もう一方は返信用郵便情報▲８▼等が印刷又は印字等あるいはタックラベル等又は切手の貼付で送信時と返信時の郵便情報用紙としてレイアウト形成されている。
上記郵便情報用紙の送信用郵便情報▲７▼部分を図３の表面部の右面の透明部分▲２▼にあてはめると送信用郵便情報が表示される事になる。又表面部の左面の印刷部分には返信用郵便情報▲８▼がとる様にレイアウトする事によって印刷で返信用郵便情報▲８▼がかくれる事になる。すなわち透明部分には送信用郵便情報がはっきり表示され印刷部分で見ない所には返信用郵便情報がくる所になり送信用郵便物が形成される。
【００１６】
上記方法はビニール封筒又は紙封筒でも同様にできるものである。又送信時のビニール封筒の封緘糊は再はくり可能な糊を使用すると良いものであり紙封筒の封緘は再使用可能な方法ですると良いものである。
【００１７】
図４に裏面部の左面の印刷部分▲５▼と右面の透明部分▲４▼があるが図６に表示してある郵便情報用紙を受信時取り出し天地反転して返信時に右面の透明部分▲４▼に返信用郵便情報部分をあてはめる事によって返信用郵便情報が表示される事になる。又裏面部の左面の印刷部分▲５▼は送信されてきた時の郵便情報部分（送信時送信用郵便情報）がかくれる事になり返信用郵便物が形成される。
【００１８】
図６は送信用と返信用の郵便情報を表示する郵便情報用紙で左右中心線より左面が送信用郵便情報で右面が返信用郵便情報である。
【００１９】
送信時図３の左面の印刷部分▲３▼に図６の送信用郵便情報▲７▼部分をあてはめると図３の右面の透明部分▲２▼に図６の返信用郵便情報▲８▼がかくれ送信用郵便物が形成される。
【００２０】
返信時図４の右面の透明部分▲４▼に送信時図３の右面の印刷部分▲５▼にかくれてあった返信用郵便情報▲８▼を表裏に反転してあてはめると図４の左面の印刷部分▲５▼に送信時の送信用郵便情報がかくれ返信用郵便物が形成される。
【００２１】
図７は横封筒の表面図と図８は横封筒の裏面図であるが図７の表面部分で左右方向中心線より左面の透明部分▲１０▼と右面の印刷部分▲１１▼になっているものであるが図８の裏面部分は図７の表面部分と反対になっている。すなわち図７の表面部分の左面の透明部分▲１０▼は図８の裏面部分では印刷部分▲１３▼になり図７の表面部分の右面の印刷部分▲１１▼は図８の裏面部分は透明部分▲１２▼になっている。
【００２２】
図１１に表示してある郵便情報用紙の図は一方が送信用郵便情報▲１４▼等ともう一方は返信用郵便情報▲１５▼等が印刷又は印字等あるいはタックラベル等又は切手の貼付で送信時と返信時の郵便情報用紙としてレイアウト形成されている。
【００２３】
上記郵便情報用紙の送信用郵便情報部分を図７の表面部分の左面の透明部分▲１０▼にあてはめると送信用郵便情報▲１４▼が表示される事になる。又表面部分の右面の印刷部分▲１１▼には返信用郵便情報▲１５▼がくる様にレイアウトする事によって印刷部分で返信用郵便情報ががかくれる事になる。すなわち透明部分には送信用郵便情報がはっきり表示され印刷部分には返信用郵便情報がかくれる事になり送信用郵便物が形成される。
【００２４】
上記方法はビニール封筒又は紙封筒でも同様にできるものである。又送信時のビニール封筒の封緘糊は再はくり可能な糊を使用すると良いものであり紙封筒の封緘は再使用可能な方法ですると良いものである。
【００２５】
図８に裏面部と左面部の透明部分▲１２▼と右面部の印刷部分▲１３▼があるが図１１に表示してある郵便情報用紙を受信時に取り出し表裏反転して返信時に左面部の透明部分▲１２▼に返信用郵便情報部分をあてはめる事によって返信用郵便情報が表示される事になる。又裏面部と右面部の印刷部分▲１３▼には送信されてきた時の郵便情報部分（送信時送信用郵便情報）がかくれる事になり返信用郵便物が形成される。
【００２６】
図１１は送信用と返信用の郵便情報を表示する郵便情報用紙で左右中心線より左面が送信用郵便情報で右面が返信用郵便情報である。
【００２７】
送信時図７の左面の透明部分▲１０▼に図１１の送信用郵便情報部分▲１４▼をあてはめると図７の右面の印刷部分▲１１▼に図１１の返信用郵便情報▲１５▼がかくれ送信用郵便物が形成される。
【００２８】
返信時図８の右面の透明部分▲１２▼に送信時図７の右面の印刷部分▲１１▼にかくれてあった返信用郵便情報を表裏反転してあてはめると図８の左面の印刷部分▲１３▼に送信時の送信用郵便情報がかくれ返信用郵便物が形成される
【００２９】
図９は横封筒の表面図と図１０は横封筒の裏面図であるが図９の表面部分で上下方向中心線より上面の透明部分▲１０▼と下面の印刷部分▲１１▼になっているものであるが図１０の裏面部は図９の表面部分と反対になっているすなわち図９の表面部分の上面の透明部分▲１０▼は図１０の裏面部分の上面は印刷部分▲１３▼になり又図９の表面部分の下面の印刷部分▲１１▼は図１０の裏面部分では透明部分▲１２▼になっている。図１１に表示してある郵便情報用紙の図は一方が送信用郵便情報▲１４▼等ともう一方は返信用郵便情報▲１５▼等が印刷又は印字等あるいはタックラベル等又は切手の貼付で送信時と返信時の郵便情報用紙としてレイアウト形成されている。
【００３０】
上記郵便情報用紙の送信用郵便情報部分を図９の表面部の上面の透明部分▲１０▼にあてはめると送信用郵便情報▲１４▼が表示される事になる。又表面部の下面の印刷部分▲１１▼には返信用郵便情報▲１５▼がくる様にレイアウトする事によって印刷部で返信用郵便情報がかくれる事になるすなわち透明部分には送信用郵便情報がはっきり表示され印刷部分には返信用郵便情報がかくれる事になり送信用郵便物が形成される。
【００３１】
上記方法はビニール封筒又は紙封筒でも同様にできるものである。又送信時のビニール封筒の封緘糊は再はくり可能な糊を使用すると良いものであり紙封筒の封緘は再使用可能な方法ですると良いものである。
【００３２】
図１０に裏面部の上面の印刷部分▲１３▼と下面部の透明部分▲１２▼があるが図１２に表示してある郵便情報用紙を受信時に取り出し左右反転して返信時に下面部の透明部分▲１２▼に返信用郵便情報▲１５▼部分をあてはめる事によって返信用郵便情報が表示される事になる。又裏面部の上面部の印刷部分▲１３▼には送信されてきた時の郵便情報部分（送信時送信用郵便情報）がかくれる事になり返信用郵便物が形成される。
【００３３】
図１２は送信用と返信用の郵便情報を表示する。郵便情報用紙で上下中心線より上面が送信用郵便情報▲１４▼で下面が返信用郵便情報▲１５▼である。
【００３４】
送信時図９の上面の透明部分▲１０▼に図１２の送信用郵便情報▲１４▼部分をあてはめると図９の下面の印刷部分▲１１▼に図１２の返信用郵便情報▲１５▼がかくれ送信用郵便物が形成される。
【００３５】
返信時図１０の透明部分▲１２▼に送信時図９の下面の印刷部分▲１１▼にかくれてあった返信用郵便情報▲１５▼を表裏反転してあてはめると図１０の上面の印刷部分▲１３▼に送信時の送信用郵便情報▲１４▼がかくれ返信用郵便物が形成される。
【００３６】
図１の表面部の上面の透明部分▲２▼と図３の表面部の右面の透明部分▲２▼は図５の上面の送信部分▲７▼と図６の右面の送信部分▲７▼の郵便情報部分があてはまる所であるが図１の上面と図３の左面部分は図５の上面と図６の左面のレイアウトデザインによって必要最小限の大きさにしてもよいものであり又裏面部の図２の上面▲５▼と図４の左面▲５▼部分も同様である。
【００３７】
図７の表面部の左面の透明部分▲１０▼と図９の表面部の上面の透明部分▲１０▼は図１１の左面の送信部分▲１４▼と図１２の上面の送信部分▲１４▼の郵便情報部分があてはまる所であるが図７の左面と図１２の上面のレイアウトデザインによって必要最小限の大きさにしてもよいものであり又裏面部の図８の右面▲１２▼と図１０の下面部分▲１２▼も同様である。
【００３８】
図５と図１１の一葉の用紙について説明をしているが一葉の用紙のみでなく二ツ折にする用紙の表裏又は内側あるいは二ツ折以上にする用紙の表裏又は内側にあらかじめ送信用郵便情報と返信用郵便情報を印刷又は印字等あるいはタックラベル等又は切手の貼付で行ない送信、返信の郵便情報を形成する。又一葉の用紙二ツ折にする用紙あるいは二ツ以上にする用紙の返信用部分にあらかじめ返信葉書の法定寸法内でミシン目、若しくは切り取り線を入れて返信時返信葉書として使用してもよいものである。
【発明の効果】
（イ）ビニール封筒で送信、返信ができる。
（ロ）紙封筒の半分以下のコストでできる。
（ハ）紙封筒の重量より軽く封入物が多く封入できる。
（ニ）開封が簡単にできる。
（ホ）再封緘ができ再開封が簡単である。
本発明はこれらの効果をもたらすものである。
【図面の簡単な説明】
【図１】本発明の実施の形態による縦封筒の表面図である。
【図２】本発明の実施の形態による縦封筒の裏面図である。
【図３】本発明の実施の形態による縦封筒の表面図である。
【図４】本発明の実施の形態による縦封筒の裏面図である。
【図５】本発明の実施の形態による縦封筒用の送信用郵便情報と返信用郵便情報を表示する情報用紙の表面図である。
【図６】本発明の実施の形態による縦封筒用の送信用郵便情報と返信用郵便情報を表示する情報用紙の表面図である。
【図７】本発明の実施の形態による横封筒の表面図である。
【図８】本発明の実施の形態による横封筒の裏面図である。
【図９】本発明の実施の形態による横封筒の表面図である。
【図１０】本発明の実施の形態による横封筒の裏面図である。
【図１１】本発明の実施の形態による横封筒用の送信用郵便情報と返信用郵便情報を表示する情報用紙の表面図である。
【図１２】本発明の実施の形態による横封筒用の送信用郵便情報と返信用郵便情報を表示する情報用紙の表面図である。
【符号の説明】
▲１▼　　縦封筒
▲２▼　　縦封筒表面の透明部分
▲３▼　　縦封筒表面の印刷部分
▲４▼　　縦封筒裏面の透明部分
▲５▼　　縦封筒裏面の印刷部分
▲６▼　　フラップ
▲７▼　　縦封筒送信用郵便情報
▲８▼　　縦封筒返信用郵便情報
▲９▼　　横封筒
▲１０▼　横封筒表面の透明部分
▲１１▼　横封筒表面の印刷部分
▲１２▼　横封筒裏面の透明部分
▲１３▼　横封筒裏面の印刷部分
▲１４▼　横封筒送信用郵便情報
▲１５▼　横封筒返信用郵便情報
【図１】
2004067240.tif 000003
【図２】
2004067240.tif 000004
【図３】
2004067240.tif 000005
【図４】
2004067240.tif 000006
【図５】
2004067240.tif 000007
【図６】
2004067240.tif 000008
【図７】
2004067240.tif 000009
【図８】
2004067240.tif 000010
【図９】
2004067240.tif 000011
【図１０】
2004067240.tif 000012
【図１１】
2004067240.tif 000013
【図１２】
2004067240.tif 000014